(57)【要約】通路用照明システムは、各個独立にバッテリを設けて密封された照明モジュール（２０）を有し、各モジュールは、少なくとも一つの二次コイルを含んでいる。複数の一次コイルが、キャリア組み立て体（１０）内に電圧回路機構（１４）と共に収容されている。一次及び二次コイルは、キャリア組み立て体及び照明モジュール内に各々配置され、両部材間に電流が流れることを可能にしている。二次コイルの出力電圧は、照明モジュール内に収容された整流回路を用いて整流されることができる。幹線電源の停電時に、バッテリ充電／切り替え回路が、通路用照明ジュール内の光源の電力要求を内部の予備バッテリに切り替えることになる。
2005521370.tif 000002
【特許請求の範囲】
【請求項１】
複数の一次コイルを含む一次電源のためのキャリアと、複数の密封された照明モジュールとからなり、各照明モジュールが、各々一次コイルの一つと電磁的に接続するための少なくとも一つの二次コイルと、少なくとも一つの光源とを含むものである照明システム。
【請求項２】
請求項１に記載の照明システムにおいて、各照明モジュールが予備バッテリをさらに含むものである照明システム。
【請求項３】
請求項２に記載の照明システムにおいて、各照明モジュールがバッテリを充電するための充電回路機構をさらに含むものである照明システム。
【請求項４】
請求項２又は３に記載の照明システムにおいて、各照明モジュールが幹線電源の停電時にバッテリ電力に切り替えるための切り替え回路機構をさらに含むものである照明システム。
【請求項５】
請求項１〜４の何れかに記載の照明システムにおいて、各照明モジュールが整流手段をさらに含むものである照明システム。
【請求項６】
請求項１〜５の何れかに記載の照明システムにおいて、光源が少なくとも一つの発光ダイオードである照明システム。
【請求項７】
請求項１〜６の何れかに記載の照明システムにおいて、光源が具体的形状を呈するものである照明システム。
【請求項８】
請求項７に記載の照明システムにおいて、形状が方向指示性の矢印である照明システム。
【請求項９】
請求項７に記載の照明システムにおいて、形状が絵文字である照明システム。
【請求項１０】
請求項７に記載の照明システムにおいて、形状が単語である照明システム。
【請求項１１】
添付図面の図１〜４に関して実質的に上記された照明システム。
【請求項１２】
複数の一次コイルを有する一次電源のためのキャリアと共に使用される密封された照明モジュールであり、該照明モジュールが、一次コイルからの電磁誘導のための少なくとも一つの二次コイルと、少なくとも一つの光源とからなる密封された照明ユニット。
【請求項１３】
請求項１２に記載の密封された照明ユニットにおいて、各照明モジュールが予備バッテリをさらに含むものである密封された照明ユニット。
【請求項１４】
請求項１３に記載の密封された照明ユニットにおいて、各照明モジュールがバッテリを充電するための充電回路機構をさらに含むものである密封された照明ユニット。
【請求項１５】
請求項１３又は１４に記載の密封された照明ユニットにおいて、各照明モジュールが幹線電源の停電時にバッテリ電力に切り替えるための切り替え回路機構をさらに含むものである密封された照明ユニット。
【請求項１６】
請求項１２〜１５の何れかに記載の密封された照明ユニットにおいて、各照明モジュールが整流手段をさらに含むものである密封された照明ユニット。
【請求項１７】
請求項１２〜１６の何れかに記載の密封された照明ユニットにおいて、光源が少なくとも一つの発光ダイオードである密封された照明ユニット。
【請求項１８】
請求項１２〜１７の何れかに記載の密封された照明ユニットにおいて、光源が具体的形状を呈するものである密封された照明ユニット。
【請求項１９】
請求項１８に記載の密封された照明ユニットにおいて、形状が方向指示性の矢印である密封された照明ユニット。
【請求項２０】
請求項１８に記載の密封された照明ユニットにおいて、形状が絵文字である密封された照明ユニット。
【請求項２１】
請求項１８に記載の密封された照明ユニットにおいて、形状が単語である密封された照明ユニット。
【請求項２２】
添付図面の図１〜４に関して実質的に上記された密封された照明ユニット。
【発明の詳細な説明】
【技術分野】
【０００１】
本発明は、限定されるわけではないが特に非常用通路に使用するための照明システムに関する。
【背景技術】
【０００２】
現在の非常用通路照明システムは、典型的には、通路照明における一つの区画が次の区画に電力を供給するようにされた線形システムから構成される。従って、照明通路の新設は、通路モジュール間の接続に依存している。一般に、通路モジュール内に収容されたプリント配線基板は、ワイヤ接続を介して互いに結び付けられ、従って、電気的相互接続手段を有する。概して幹線電源に接続された中央電源ユニットは、第一の照明モジュールに電力を供給し、それは順次、第二の照明モジュールその他に電力を供給する。また、電源は、幹線電源の停電時に作動する予備バッテリ設備を備えている。
【発明の開示】
【発明が解決しようとする課題】
【０００３】
しかしながら、先行技術には多くの潜在的な欠点がある。非常用予備バッテリを含む中央電源ユニットにおける水分の存在は、該予備バッテリの短絡を引き起こし、通路システムの完全な機能停止に至る可能性がある。仮に、予備バッテリから通路システム又は何れかの通路モジュール接続部への電気供給ラインの何れかが断絶を受ければ、該断絶点から通路システムの機能停止が生じることになる。仮に、個別の通路照明モジュールが電気的な損傷を受ければ、後に続くモジュールは機能しないことになろう。
本発明の目的は、改良された照明システムを提供することにある。
【課題を解決するための手段】
【０００４】
本発明によれば、複数の一次コイルを含む一次電源のためのキャリアと、複数の密封された照明モジュールとからなり、各照明モジュールが、各々一次コイルの一つと電磁的に接続するための少なくとも一つの二次コイルと、少なくとも一つの光源とを含む照明システムが提供される。
【０００５】
一次電源は一般には幹線電源であろうが、何か他の電源、例えば、発電機により発電されたようなもの、船舶又は航空機上の主電源若しくは幹線電源からの降圧電圧から生じるものであってもよい。
【０００６】
通常、各照明モジュールは、予備バッテリと好ましくは適当な切り替え回路機構とを含み、それによって、一次電源が停電している場合でも照明モジュールがバッテリ電力で作動することになる。概して、充電回路機構もまたバッテリのために配備されることになろう。
【０００７】
利便性のために、各照明モジュールはさらに整流手段を装備することができ、それによって、一次電源が交流電源であっても、必要であればこれを光源のために直流に変換することができる。
【０００８】
典型的には、光源は少なくとも一つの発光ダイオードである。非常用通路照明としての使用のために、光源は具体的形状を呈するものであってもよい。効果的には、光源の形状は方向指示性の矢印である。それに代わる形状は、例えば火災非難口や消火器の位置を示す絵文字である。別の代替例における形状は単語であってもよい。
照明モジュールは、連続鋳造品内に収容されるように適合されている。
【０００９】
本発明の第二の態様によれば、複数の一次コイルを有する、一次電源のためのキャリアと共に使用される密封された照明モジュールが提供され、前記照明モジュールは、一次コイルからの電磁誘導のための少なくとも一つの二次コイルと、少なくとも一つの光源とからなるものである。
【００１０】
通常、各照明モジュールは、予備バッテリと好ましくは適当な切り替え回路機構とを含み、それによって、一次電源が停電している場合でも照明モジュールがバッテリ電力で作動することになる。概して、充電回路機構もまたバッテリのために配備されることになろう。
【００１１】
利便性のために、各照明モジュールはさらに整流手段を装備することができ、それによって、一次電源が交流電源であっても、必要であればこれを光源のために直流に変換することができる。
【００１２】
典型的には、光源は少なくとも一つの発光ダイオードである。非常用通路照明としての使用のために、光源は具体的形状を呈するものであってもよい。効果的には、光源の形状は方向指示性の矢印である。それに代わる形状は、例えば火災非難口や消火器の位置を示す絵文字である。別の代替例における形状は単語であってもよい。
【発明を実施するための最良の形態】
【００１３】
本発明の理解に資するために、その具体的な実施態様が、実施例により、添付図面に照らして説明される。
【００１４】
図１は、本発明による照明システムの概要図、図２は、図１の照明システムにおける一つの照明モジュールの回路図である。図３は、図１の照明システムにおけるキャリアのための夫々異なる組み込み状態を示し、図４は、光源の配列のための種々のオプションを示している。図５は、本発明の照明システムにおける第一の態様の斜視図、図６は、本発明の照明システムにおける第二の態様の正面図である。図７は、照明システムを保持するための種々の方法を示している。図８は、標準的な電球の形をした照明モジュール、図９は、バトンの形状を呈する照明モジュール、図１０は、反射器を組み込んださらなる照明モジュールである。図１１は、下方向及び外方向の照明のために設計された大きな照明モジュール、図１２は、図１１の照明モジュールの端面図、図１３は、図１１の照明モジュールの底面図、そして図１４は、図１１の照明モジュールの斜視図である。
【００１５】
図を参照すると、図１は本発明の照明システムを示し、キャリア１０がシステム１に幹線電源１１を供給するために配備されている。キャリアに沿って、一次コイル１２が配置されている。一次コイルはキャリア内にカプセル化状態で完全に保護され、それによって例えば非常時に不都合な水分の流入を生起し得ないようにしている。キャリアは、ポリカーボネート又はポリプロピレンのような適宜の熱可塑性プラスチックから作成されている。
【００１６】
照明システムは、さらに、照明モジュール２０を含んでいる。照明モジュール２０は、該モジュール２０内に電流を誘導するために一次コイル１２と電磁的に結合する二次コイル２２を含んでいる。また、予備バッテリ２６もモジュール２０内に配備されている。キャリア組み立て体は、また電圧調整回路機構１４を含んでいる。
【００１７】
照明モジュール２０は、回路機構の故障を引き起こし得る水分や有害ガスの侵入を防ぐために、密封されたユニットとなるように設計されている。従って、幹線電源が停電している場合でも、照明モジュール２０は作動を継続することになろう。このことは、火事のような非常事態においては重要であり、その場合、人々を最も近い出口又は安全地点に導くことが重要である。
【００１８】
図２は、一次コイル１２と二次コイル２２の間における電磁誘導のための位置関係を図１から拡大して示している。上記のように、一次コイル１２をカプセル化状態で完全に保護し、且つ二次コイル２２を完全に密封された照明モジュール内に配備することにより、湿気の侵入の影響を受け易くならないようにしている。一次コイル１２における電流からの誘導により、二次コイル２２内に電流が誘導され、そして結果的に、一次コイル１２及び二次コイル２２は両者共に密封されることができ、水を透すことがない。
【００１９】
図３に示されるように、照明モジュール２０は、さらに幹線電源の交流を直流に変換するための整流手段２４を含んでいる。予備バッテリ２６が各照明モジュール２０内に配備され、それによって、幹線電源が停電している場合に、照明モジュールはバッテリ２６により電力を供給されることができる。幹線電源が機能している場合はバッテリが充電され、幹線電源が停電している場合はバッテリが照明モジュールに電力を供給し得るように、切り替え回路機構２８が配備されている。
【００２０】
代替例では、バッテリと充電回路が「エコ・バッテリ」として配備されていてもよく、それによって照明モジュール内の光源は、バッテリにより供給された電力で作動する。バッテリの電力が予定された水準以下に落ちると、充電回路がバッテリを再充電に切り替え、そして第二コイルを介して光源に電力を供給する。
【００２１】
照明モジュールは光源３０を含み、典型的には、これらは発光ダイオードである。図示されるように、二つの発光ダイオード３０は、電圧保護のための整流器３１を装備している。しかしながら、標準的な電球３３や光学繊維のような他の光発生装置が使用されることもできる。また、反射器(図示されない)が配備されてもよい。図示されるように、照明モジュールは、さらに、音響装置３２と他の装置と結合するためのソケットとを含んでいる。全ての構成部材は、プリント配線基板上に設けられている。
【００２２】
図４は、一連の密封された照明モジュール２０を含む使用中の本発明に係るシステムを示し、各々は一続きの照明要素３０を収容している。各照明モジュール２０は、キャリア１０内にカプセル化状態で保護された一次コイル１２から電磁誘導のために配置された二次コイル２２と共に位置決めされている。
【００２３】
本発明に係るシステムの主な利点の一つは、照明モジュールが、個々の状況や位置における使用のために種々の異なる形状とデザインで配備され得ることである。図５〜１４は、個々の照明モジュールの実施例を与えている。
【００２４】
図５は、照明システムを収容するために配備され得る、キャリアを含む種々のトラックを示している。図５ａはカーペットから平坦床へのトラック、図５ｂはカーペットからカーペットへのトラック、図５ｃはカーペットから壁へのトラック、図５ｄは万能的なトラック、図５ｅはコーナ部トラック、図５ｆは傾斜路トラック、図５ｇはバンドレール状トラック、図５ｈは階段被覆トラックである。
【００２５】
図６は、二次コイル２２とは異なる光源の配列を示している。図６ａは、直角又は適宜の矢じり形状を呈するボード６０上に配列された五つの光源３０を示している。図６ｂは、十字形を呈するボード６２上に配列された光源３０を示し、そして図６ｃは、Ｔ形片を呈するボード６４上に配列された光源３０を示している。
【００２６】
図７は、張り出し屋根型の照明モジュールである。前記のように、モジュール７０は密封されたユニットであり、キャリア(図示されない)内の一次コイルからの電磁誘導のための二次コイル７２を装備している。さらに、予備バッテリ７４及びバッテリ表示器７６が配備されている。光源７８は、さらに、それからの照明効果を増大し、演出するための反射器７９を装備している。
【００２７】
図８は、今度は標準的な大型電球８０の形状を呈する更なる照明モジュールである。前記のように、モジュールは、キャリア８３内の一次コイルと相互作用するための二次コイル８２を含んでいる。予備バッテリ(図示されない)がユニット内部に配備され、またバッテリ表示器の表示灯８４も配備されている。発光ダイオードの光源８６が、レンズ面８８下方のプリント配線基板８７上に配備されている。レンズの選択により、モジュールを投光照明ライト、スポットライト、指向性ライト等の何れにもすることができる。
【００２８】
図９に示される態様では、筒状の電球９０又はバトンの形状を呈する照明モジュールが示されている。それは、キャリア(図示されない)の一次コイルと連結するための二次コイル９２を装備している。モジュールの本体９４は、密封されたユニットとして配備され、既述のように予備バッテリ、整流回路機構、充電回路機構を含んでいる。モジュールは、さらに、バッテリ容量表示器９６を備えている。複数の発光ダイオード９８が、モジュールの中心に沿って配列されている。
【００２９】
図１０は、標準的な電球の形状に設計された照明モジュール１４０を示している。モジュールは、キャリア１４３上の一次コイルからの誘導のための二次コイル１４２を含んでいる。光源１４４が、モジュールの一端に位置する部屋１４５内に収容されている。光学繊維束１４６が、光を光源１４４から繊維１４７を介して伝達するようにそれらの収集端を配置して、各光源内に配備されている。繊維の通路は、光を光源１４４から、モジュールの他端に配備された反射器１４８に伝達する。さらに、レンズ１４９が、モジュールからの光を増大し又は演出するために配備されている。
【００３０】
図１１〜１４は、本発明による大型照明モジュール１５０を示している。発光ダイオード１５１の配列が、ユニットから外方向及び下方向の両方向への照明のために、密封されたユニットの二つの縁１５２、１５３周辺に配備されている。既述の照明モジュールと同様に、このモジュールは各個独立に密封されたユニットである。それは、図１に示されるようなキャリア上の一次コイルからの電磁誘導のために二次コイル１５４を装備している。ユニット内部には、図示されない予備バッテリが前記のように設けられている。予備バッテリが完全に充電されていることを使用者が確信できるように、表示器の表示灯１５６が、バッテリが十分な電力を保持していることを示すために配備されている。繰り返すが、既述の照明モジュールと同様に、この照明モジュールは、図示されないが、既述のような整流、切り替え及びバッテリ充電の回路を含んでいる。
【００３１】
本発明は、前記の実施態様の詳細に限定されるものではない。例えば、照明モジュールとキャリアは、個々の状況における使用のために多くの他の形状とデザインで配備されてもよい。
【図面の簡単な説明】
【００３２】
【図１】本発明による照明システムの概要図である。
【図２】図１の照明システムにおける一つの照明モジュールの回路図である。
【図３】図１の照明システムにおけるキャリアのための夫々異なる組み込み状態を示す。
【図４】光源の配列のための種々のオプションを示す。
【図５】本発明の照明システムにおける第一の態様の斜視図である。
【図６】本発明の照明システムにおける第二の態様の正面図である。
【図７】照明システムを保持するための種々の方法を示す。
【図８】標準的な電球の形をした照明モジュールである。
【図９】バトンの形状を呈する照明モジュールである。
【図１０】反射器を組み込んださらなる照明モジュールである。
【図１１】下方向及び外方向の照明のために設計された大きな照明モジュールである。
【図１２】図１１の照明モジュールの端面図である。
【図１３】図１１の照明モジュールの底面図である。
【図１４】図１１の照明モジュールの斜視図である。
【符号の説明】
【００３３】
１  照明システム
１０  キャリア
１２  一次コイル
１４  電圧調整回路機構
２０  照明モジュール
２２  二次コイル
２６  予備バッテリ
３０  光源
３１  整流器
３２  音響装置
３３  電球
６０、６２、６４  ボード
７０  照明モジュール
７２  二次コイル
７４  予備バッテリ
７６  バッテリ表示器
７８  光源
７９  反射器
８０  電球
８２  二次コイル
８３  キャリア
８４  バッテリ表示器の表示灯
８６  光源
８７  プリント配線基板
８８  レンズ面
９０  電球
９２  二次コイル
９４  モジュールの本体
９６  バッテリ容量表示器
９８  発光ダイオード
１４０  照明モジュール
１４２  二次コイル
１４３  キャリア
１４４  光源
１４５  部屋
１４６  光学繊維束
１４７  繊維
１４８  反射器
１４９  レンズ
１５０  照明モジュール
１５１  発光ダイオード
１５２、１５３  縁
１５４  二次コイル
１５６  表示器の表示灯
【図１】
2005521370.tif 000003
【図２】
2005521370.tif 000004
【図３】
2005521370.tif 000005
【図４】
2005521370.tif 000006
【図５】
2005521370.tif 000007
【図６】
2005521370.tif 000008
【図７】
2005521370.tif 000009
【図８】
2005521370.tif 000010
【図９】
2005521370.tif 000011
【図１０】
2005521370.tif 000012
【図１１】
2005521370.tif 000013
【図１２】
2005521370.tif 000014
【図１３】
2005521370.tif 000015
【図１４】
2005521370.tif 000016
【手続補正書】
【提出日】平成15年6月26日(2003.6.26)
【手続補正１】
【補正対象書類名】特許請求の範囲
【補正対象項目名】全文
【補正方法】変更
【補正の内容】
【書類名】特許請求の範囲  【請求項１】  複数の一次コイルを含む一次電源のためのキャリアと、複数の密封された照明モジュールとからなり、各照明モジュールが、各々一次コイルの一つと電磁的に接続するための少なくとも一つの二次コイルと、少なくとも一つの光源と、少なくとも一つの予備バッテリと、バッテリのための充電回路機構と、一次電源の不機能時にバッテリ電力に切り換えるための切り替え回路機構とを含むものである照明システム。  【請求項２】  請求項１に記載の照明システムにおいて、各照明モジュールが整流手段をさらに含むものである照明システム。  【請求項３】  請求項１又は２に記載の照明システムにおいて、光源が少なくとも一つの発光ダイオードである照明システム。  【請求項４】  請求項１、２又は３に記載の照明システムにおいて、光源が具体的形状を呈するものである照明システム。  【請求項５】  請求項４に記載の照明システムにおいて、光源が具体的形状を呈し、それが複数の光の点から作られている照明システム。  【請求項６】  請求項４又は５に記載の照明システムにおいて、形状が方向指示性の矢印である照明システム。  【請求項７】  請求項４又は５に記載の照明システムにおいて、形状が絵文字である照明システム。  【請求項８】  請求項４又は５に記載の照明システムにおいて、形状が単語である照明システム。  【請求項９】  添付図面の図１〜４に関して実質的に上記された照明システム。  【請求項１０】  複数の一次コイルを有する一次電源のためのキャリアと共に使用される密封された照明モジュールであり、該照明モジュールが、一次コイルからの電磁誘導のための少なくとも一つの二次コイルと、少なくとも一つの光源と、少なくとも一つの予備バッテリと、バッテリのための充電回路機構と、一次電源の不機能時にバッテリ電力に切り換えるための切り替え回路機構とからなる密封された照明ユニット。  【請求項１１】  請求項１０に記載の密封された照明ユニットにおいて、各照明モジュールが整流手段をさらに含むものである密封された照明ユニット。  【請求項１２】  請求項１０又は１１に記載の密封された照明ユニットにおいて、光源が少なくとも一つの発光ダイオードである密封された照明ユニット。  【請求項１３】  請求項１０〜１２の何れかに記載の密封された照明ユニットにおいて、光源が具体的形状を呈するものである密封された照明ユニット。  【請求項１４】  請求項１３に記載の密封された照明ユニットにおいて、光源が具体的形状を呈し、それが複数の光の点から作られている密封された照明ユニット。  【請求項１５】  請求項１３又は１４に記載の密封された照明ユニットにおいて、形状が方向指示性の矢印である密封された照明ユニット。  【請求項１６】  請求項１３又は１４に記載の密封された照明ユニットにおいて、形状が絵文字である密封された照明ユニット。  【請求項１７】  請求項１３又は１４に記載の密封された照明ユニットにおいて、形状が単語である密封された照明ユニット。  【請求項１８】  添付図面の図１〜４に関して実質的に上記された密封された照明ユニット。


【国際調査報告】
2005521370.tif 000017
2005521370.tif 000018
2005521370.tif 000019